(57)【要約】【課題】  照明器具において、コストをかけずに、照明器具の取外しを容易にし、作業効率を向上させる。【解決手段】  天井に配線されるダクトレールに取り付けられる照明器具１の基体１１の一端部にレバー部１２１によってダクトレールに固定される電源プラグ１２を備え、他端部にダクトレールに係止可能な係止体１３を備える。係止体１３は、基体１１の長手方向からみた両側面にダクトレールに係合する弾性を有する突起部１３１を備え、突起部１３１が、基体１１の長手方向からみてダクトレールに取り付けられる側に向かうほど幅狭になるような、照明器具１のダクトレールへの取付け時に、容易に取り付けられるように案内するための第一の傾斜面１３１ａと、ダクトレールに取り付けられる側からみて一端部側に向かうほど幅狭になるような、照明器具１のダクトレールからの取外し時に容易に取り外せるように案内するための第二の傾斜面１３１ｂを有する。【選択図】          図２
2006302740.tif 000002
【特許請求の範囲】
【請求項１】
上方に導電用レール、下方に係止用レールがそれぞれ設けられ、下端部に長手方向に沿って開口を有し、天井に配線されるダクトレールに取り付けられる照明器具であって、
前記ダクトレールに取り付けられる該レールに沿った長さを有する照明器具基体の一端部に、片側に突出したレバー部を約９０度回動することによって前記ダクトレールの導電用レールに接触する通電用翼体と係止用レールに係止する係止用翼体とを有する電源プラグを備え、他端部に、前記ダクトレールの係止用レールに係止可能な係止体を備えた照明器具において、
該係止体が、前記基体の長手方向からみた両側面に前記ダクトレールの係止用レールに係合する弾性を有する突起部を備え、
該突起部が、前記基体の長手方向からみて前記ダクトレールに取り付けられる側に向かうほど幅狭になるような、前記照明器具の前記ダクトレールへの取付け時に、容易に取り付けられるように案内するための第一の傾斜面と、前記ダクトレールに取り付けられる側からみて前記一端部側に向かうほど幅狭になるような、前記照明器具の前記ダクトレールからの取外し時に容易に取り外せるように案内するための第二の傾斜面を有するものであることを特徴とする照明器具。
【請求項２】
前記第一の傾斜面と前記第二の傾斜面とが２つの面で構成されるものであって、該第一の傾斜面と該第二の傾斜面とから形成される境界線が、前記一端部側の前記ダクトレールに取り付けられる側から前記他端部側の前記ダクトレールに取り付けられる側と反対の方向に向かって形成される稜線であることを特徴とする請求項１に記載の照明器具。
【請求項３】
前記第一の傾斜面と前記第二の傾斜面とが１つの面で構成されるものであることを特徴とする請求項１に記載の照明器具。
【請求項４】
前記ダクトレールが長手方向からみて片側隅部に、長手方向に沿って上方から下方に向けて突設された凸部を有するものであって、
前記基体が前記ダクトレールに取り付けられる側の面に長手方向からみて両側隅部に、前記ダクトレールの凸部と係合する切欠部を備えたことを特徴とする請求項１〜３のいずれか一項に記載の照明器具。
【発明の詳細な説明】
【技術分野】
【０００１】
本発明は、ダクトレールに取り付ける照明器具に関し、特にスポット照明器具等をダクトレールへ取り付ける取付部の構造に関するものである。
【背景技術】
【０００２】
従来、食料品売り場やイベント会場における展示品等を効果的に照射するために、大小様々なスポットライトを備えた照明器具が、電源プラグを介して天井に配線されたダクトレールに取り付けられている。その中でも、大きなスポットライトを備えた照明器具はダクトレールに取り付けられると、照明器具の重量が大きいために、揺れ等の外力に対してバランスが取り難く、不安定になる虞があるので、電源プラグを照明器具の上部二箇所に取り付けてバランスを取る等の工夫がなされている。
【０００３】
しかしながら、このように電源プラグを二箇所に設けた照明器具は、電源プラグにコストがかかってしまうために、経済的ではなく、さらに電源プラグの構造が複雑であるために、ダクトレールへの取付けが煩雑であるといった問題がある。
【０００４】
このような問題点を解決するために、一方に電源プラグを設けて、他方にダクトレールの凹溝に係合する鉤爪を開放部側上端に突設した支持体を設けた照明器具が開示されている。（特許文献１）
【特許文献１】特開２００３−３１７５３０号公報
【発明の開示】
【発明が解決しようとする課題】
【０００５】
しかしながら、上記のような照明器具は、支持体が弾力性を有しているので、鉤爪をダクトレールの下方からダクトレールに挿入する過程で、鉤爪は支持体の弾性により一旦撓み、挿入後に復元されることによって、ダクトレールの凹溝に係合することができて、照明器具をダクトレールに容易に取り付けることはできるが、取り外す際には照明器具を片手で保持しながら、もう一方の手の指で支持体の開放部を押圧して狭めることにより、鉤爪をダクトレールの凹溝から外さなければならないので、取り外しに手間がかかり作業効率が悪くなる虞がある。
【０００６】
本発明はかかる事情に鑑みてなされたものであり、コストをかけずに、照明器具の取り外しが容易にできて、作業効率の良い照明器具を提供することを目的とするものである。
【課題を解決するための手段】
【０００７】
本発明の照明器具は、上方に導電用レール、下方に係止用レールがそれぞれ設けられ、下端部に長手方向に沿って開口を有し、天井に配線されるダクトレールに取り付けられる照明器具であって、前記ダクトレールに取り付けられる該レールに沿った長さを有する照明器具基体の一端部に、片側に突出したレバー部を約９０度回動することによって前記ダクトレールの導電用レールに接触する通電用翼体と係止用レールに係止する係止用翼体とを有する電源プラグを備え、他端部に、前記ダクトレールの係止用レールに係止可能な係止体を備えた照明器具において、
該係止体が、前記基体の長手方向からみた両側面に前記ダクトレールの係止用レールに係合する弾性を有する突起部を備え、
該突起部が、前記基体の長手方向からみて前記ダクトレールに取り付けられる側に向かうほど幅狭になるような、前記照明器具の前記ダクトレールへの取付け時に、容易に取り付けられるように案内するための第一の傾斜面と、前記ダクトレールに取り付けられる側からみて前記一端部側に向かうほど幅狭になるような、前記照明器具の前記ダクトレールからの取外し時に容易に取り外せるように案内するための第二の傾斜面を有するものであることを特徴とするものである。
【０００８】
前記係止体の突起部は、前記第一の傾斜面と前記第二の傾斜面とが２つの面で構成されるものであって、該第一の傾斜面と該第二の傾斜面とから形成される境界線が、前記一端部側の前記ダクトレールに取り付けられる側から前記他端部側の前記ダクトレールに取り付けられる側と反対の方向に向かって形成される稜線であることが好ましい。
【０００９】
あるいは前記係止体の突起部は、前記第一の傾斜面と前記第二の傾斜面とが１つの面で構成されるものであることが好ましい。
【００１０】
また、本発明の照明器具では、前記ダクトレールが長手方向からみて片側隅部に、長手方向に沿って上方から下方に向けて突設された凸部を有するものであって、前記基体が前記ダクトレールに取り付けられる側の面に長手方向からみて両側隅部に、前記ダクトレールの凸部と係合する切欠部を備えることができる。  
【発明の効果】
【００１１】
上記のように構成された本発明の照明器具によれば、係止体が、基体の長手方向からみた両側面にダクトレールの係止用レールに係合する弾性を有する突起部を備え、この突起部が、基体の長手方向からみてダクトレールに取り付けられる側に向かうほど幅狭になるような、照明器具のダクトレールへの取付け時に、容易に取り付けられるように案内するための第一の傾斜面と、ダクトレールに取り付けられる側からみて一端部側に向かうほど幅狭になるような、照明器具のダクトレールからの取外し時に容易に取り外せるように案内するための第二の傾斜面を有しているので、照明器具をダクトレールに取り付ける際には、係止体の突起部が、ダクトレールの長手方向に沿った開口の縁部に当接して、突起部が弾性力によって縮みながら、第一傾斜面に沿って滑らかに係止用レールに挿入することができるので、容易に係止体をダクトレールに固定させることができる。
【００１２】
また、照明器具をダクトレールから取り外す際には、電源プラグ側から取り外すことにより、基体が電源プラグ側を下方にして斜めに位置するので、係止体は突起部の第二の傾斜面に沿って滑らかに係止用レールから外れることができる。したがって、取り外す際に係止体を指で押圧する必要がないので、照明器具の取り外しが容易にできて、作業効率を向上させることができる。
【００１３】
また、ダクトレールが長手方向からみて片側隅部に、長手方向に沿って上方から下方に向けて突設された凸部を有するものであって、基体がダクトレールに取り付けられる側の面に長手方向からみて両側隅部に、ダクトレールの凸部と係合する切欠部を備えた場合には照明器具を取り付ける際に、左右どちらの向きから取り付けても、ダクトレールの凸部と基体の切欠部とが係合することができるので、照明器具を回動して取り付ける必要が無く、ダクトレールの下方から容易に取り付けることができるので作業効率を向上させることができる。
【発明を実施するための最良の形態】
【００１４】
次に、図面を参照して、本発明に係る実施形態の照明器具について説明する。
【００１５】
図１はダクトレール２に取り付けられた照明器具１の側面図、図２（ａ）は照明器具１の斜視図、図２（ｂ）は図２（ａ）における突起部１３１を紙面左下から右上にむかってみたときの拡大図、図３（ａ）はダクトレール２の断面図、図３（ｂ）は電源プラグのダクトレールへの取付図、図３（ｃ）は係止体１３のダクトレールへの取付図である。なお、本実施形態の説明においては、紙面上方を天井が位置する側（上側）、紙面下方を床面が位置する側（下側）とする。
【００１６】
図１、図２（ａ）に示す如く、上面が天井（図示しない）に配線されたダクトレール２に取り付けられる照明器具１は、ダクトレール２に沿った長さを有する照明器具基体１１と、照明器具基体１１の上面の一端部に備えられた電源プラグ１２と、他端部に備えられた係止体１３と、基体１１の下面に取り付けられたスポットライト１４とから概略構成され、照明器具１は上面の電源プラグ１２と係止体１３を介してダクトレール２に取り付けられている。
【００１７】
ダクトレール２は図３（ａ）に示す如く、天井に取り付けられた上面と、上面からそれぞれ略直角に下方に延びた両側面と、さらに両側面からそれぞれ略直角に内側に延びた底面からなり、底面はダクトレール２の長手方向に沿って開口を有している。また片側隅部には、側面から下方に延びた凸部２５が、ダクトレール２の長手方向に沿って設けられている。ダクトレール２の内部には、両側面の略中央に導電板２３を有する導電用レール２２が設けられ、導電用レールの下方には係止用レール２１が設けられていて、上面の略中央にはアース板２４が取り付けられている。
【００１８】
照明器具基体１１の上面にはダクトレール２の凸部２５と係合する切欠部１１１が、基体１１の長手方向に沿って両側に設けられている。
【００１９】
電源プラグ１２は図２（ａ）に示す如く、片側に突出したレバー部１２１を有し、このレバー部に連動して回動するように、略中央を回動軸として上方に略矩形である通電用翼体１２２、下方に略矩形である係止用翼体１２３がそれぞれ設けられていて、通電用翼体１２２の略中央上部にはダクトレール２に設けられたアース板２４と接触するための金属片１２４が上方に向かって伸縮自在に突設されている。図３（ｂ）に示す如く、通電用翼体１２２と係止用翼体１２３とが、それぞれの長手方向をダクトレール２の開口に沿って、ダクトレール２内部に没入している状態で、レバー部１２１を約９０度回動することによって、通電用翼体１２２と係止用翼体１２３とが同時に回動して、通電用翼体１２２がダクトレール２に設けられた通電板２３に接触し、係止用翼体１２３が係止用レール２１に係止して、電源プラグ１２はダクトレール２に固定される。
【００２０】
係止体１３は、図２（ａ）、（ｂ）に示す如く、ダクトレール２の開口と略同幅で、ダクトレール２の長手方向に沿って、基体１１の上面から上方に向かって突設されたものであって、係止体１３の上面の電源プラグ１２側縁辺から下方に向かって緩やかに延びた傾斜面を有している。係止体１３は図３（ｃ）に示す如く、基体１１の長手方向からみた（図２中、Ｙ方向）両側面にダクトレール２の係止用レール２１に係合する弾性を有する突起部１３１が備えられていて、突起部１３１が係止用レール２１に係合することによって係止体１３がダクトレール２に固定される。
【００２１】
ここで図４（ａ）〜（ｃ）に係止体１３の図２におけるＺ方向からみた側面図、Ｙ方向からみた平面図、−Ｘ方向からみた上面図を示す。
【００２２】
突起部１３１は、図４（ａ）に示す如く、略正方形であって、この正方形の両端および下端にスリット１３２が設けられていて、照明器具１をダクトレール２に取付けまたは取外しし易いようになっている。なお、本実施形態では３辺にスリット１３２が設けられているが、本発明においてはこれに限られるものではなく、一辺にスリットを設けても良いし、突起部１３１の弾性変形を補助する構造であれば、スリット１３２の代わりに他の構成を用いても構わない。
【００２３】
ここで本発明において特徴的なのは、突起部１３１が、図４（ｂ）に示す如く、基体１１の長手方向からみて（図２中、Ｙ方向）上方に向かうほど幅狭になるような、照明器具１のダクトレール２への取付け時に、容易に取り付けられるように案内するための第一の傾斜面１３１ａと、図４（ｃ）に示す如く、上方からみて（図２中、−Ｘ方向）電源プラグ１２側（紙面下方）に向かうほど幅狭になるような、照明器具１のダクトレール２からの取外し時に容易に取り外せるように案内するための第二の傾斜面１３１ｂを有していることである。また、図４（ａ）に示す如く、第一の傾斜面１３１ａと第二の傾斜面１３１ｂとは略三角形の２つの面で構成されるものであって、第一の傾斜面１３１ａと第二の傾斜面１３１ｂとから形成される境界線は、図２中においてＹ側上方から−Ｙ側下方に向かって形成される稜線となっている。
【００２４】
このように構成された照明器具１によれば、照明器具１をダクトレール２に取り付ける際には、図５（ａ）に示す如く、先ず基体１１を係止体１３側が上方に位置するように全体に斜めにして、係止体１３をダクトレール２に固定させてから、基体１１をＲ１方向に移動させて、電源プラグ１２をダクトレール２に固定させるので、係止体１３をダクトレール２に固定させる際に、係止体１３の突起部１３１が、ダクトレール２の長手方向に沿った開口の縁部に当接して、突起部１３１が弾性力によって縮みながら、第一の傾斜面１３１ａに沿って滑らかに係止用レール１２３に挿入することができるので、容易に係止体１３をダクトレール２に固定させることができる。
【００２５】
また照明器具１の基体１１の上面にはダクトレール２の凸部２５と係合する切欠部１１１が、基体１１の長手方向に沿って両側に設けられているので、照明器具をダクトレールに取り付ける際に、左右どちらの向きから取り付けても、ダクトレールの凸部と基体の切欠部とが係合することができるので、照明器具を回動して取り付ける必要が無く、ダクトレールの下方から容易に取り付けることができるので作業効率を向上させることができる。
【００２６】
また、照明器具をダクトレールから取り外す際には、図５（ａ）に示す如く、先ず電源プラグ１２をダクトレール２から取り外すので、基体１１がＲ２方向に移動し、基体１１が、電源プラグ１２側が下方に位置するように全体に斜めになることによって、係止体１３が突起部１３１の第二の傾斜面１３１ｂに沿って滑らかに係止用レール２１から外れることができる。したがって、取り外す際に係止体１３または突起部１３１を指で押圧する必要がないので、照明器具の取り外しが容易にできて、作業効率を向上させることができる。
【００２７】
本実施形態の突起部は、別の実施形態として、図６（ａ）に示す如く、突起部１３１の第一の傾斜面１３１ａと第二の傾斜面１３１ｂとが１つの面で構成されていて、突起部１３１が基体１１の長手方向からみて（図２中、Ｙ方向）上方に向かうほど幅狭になり、上方からみて（図２中、−Ｘ方向）電源プラグ１２側（紙面下方）に向かうほど幅狭になるように、前記一つの面が捻じり曲げられることによって形成されているものでもよい。
【００２８】
また、別の実施形態として、図６（ｂ）に示す如く、第一の傾斜面１３１ａと第二の傾斜面１３１ｂとは２つの面で構成されるものであって、第二の傾斜面１３１ｂが、第一の傾斜面１３１ａと第二の傾斜面１３１ｂとから形成される境界線から突起部１３１の内側に向かって切欠いて形成されているものでもよい。
【００２９】
本発明の照明器具における突起部については前述した実施形態の形状に限定されるものではなく、照明器具のダクトレールへの取付け時に、容易に取り付けられるように案内するための第一の傾斜面と、照明器具のダクトレールからの取外し時に容易に取り外せるように案内するための第二の傾斜面とを有しているものであればよく、適宜な変形、改良等が可能である。
【図面の簡単な説明】
【００３０】
【図１】本発明におけるダクトレールに取り付けられた照明器具の側面図である。
【図２】本発明における照明器具の斜視図である。
【図３】本発明におけるダクトレールの断面図及び電源プラグと係止体のダクトレールへの取付図である。
【図４】本発明における係止体の側面図、平面図及び上面図である。
【図５】本発明における照明器具のダクトレールへの取付け及び取外し側面図である。
【図６】本発明における突起部の別の形態を示す斜視図である。
【符号の説明】
【００３１】
１        照明器具
１１      照明器具基体
１２      電源プラグ
１２１    レバー部
１３      係止体
１３１    突起部
１３１ａ  第一の傾斜面
１３１ｂ  第二の傾斜面
【図１】
2006302740.tif 000003
【図２】
2006302740.tif 000004
【図３】
2006302740.tif 000005
【図４】
2006302740.tif 000006
【図５】
2006302740.tif 000007
【図６】
2006302740.tif 000008